【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
タッチ感知表面上の複数のタッチおよび前記複数のタッチの力を解読する方法であって、前記タッチ感知表面は、可撓性電気伝導性カバーと第１の複数の電極との間に配列された複数の変形可能スペーサを備え、前記複数の変形可能スペーサは、前記可撓性電気伝導性カバーと前記第１の複数の電極との間の距離を維持し、前記方法は、
軸上に整列させられた複数のチャネルを走査し、前記複数のチャネルの各々の自己容量値を決定するステップであって、各チャネルは、前記第１の複数の電極のうちの１つによって形成されている、ステップと、
前記自己容量値を比較し、前記チャネルのうちのどれが局所最大自己容量値を有するかを決定するステップと、
決定された局所最大自己容量値を有する少なくとも１つのチャネルの複数のノードを走査し、前記ノードの相互値を決定するステップと、
前記相互値を比較し、前記ノードのうちのどれが最も大きな相互容量値を有するかを決定するステップであって、前記局所最大自己容量値チャネル上の最も大きな相互容量値を有するノードは、潜在的タッチ場所である、ステップと、
前記潜在的タッチ場所への無タッチ中およびタッチ中の前記潜在的タッチ場所における前記ノードの前記相互容量値の変化から、前記潜在的タッチ場所における力を決定するステップと
を含む、方法。
【請求項２】
前記自己値のうちの少なくとも１つが自己タッチ閾値を上回るかどうかを決定するステップをさらに含み、
「はい」である場合、前記最も大きな自己値を有する前記少なくとも１つのチャネルの複数のノードを走査するステップに進み、
「いいえ」である場合、完了として、タッチ検出フレームを終了する、
請求項１に記載の方法。
【請求項３】
前記少なくとも１つの自己値に対する左勾配値および右勾配値を決定するステップをさらに含み、
前記左勾配値は、前記少なくとも１つの自己値から前記少なくとも１つのチャネルの左のチャネルの自己値を引いた値に等しく、
前記右勾配値は、前記少なくとも１つの自己値から前記少なくとも１つのチャネルの右のチャネルの自己値を引いた値に等しい、
請求項１に記載の方法。
【請求項４】
前記左勾配値がゼロ（０）を上回り、かつ前記右勾配値がゼロ（０）未満であるとき、局所最大自己容量値を決定して、前記少なくとも１つのチャネルの前記複数のノードを走査するステップに戻り、そうでないとき、次のステップに進み、
正の左勾配値と正の右勾配値との比が所定の閾値を上回るとき、局所最大自己容量値を決定して、前記少なくとも１つのチャネルの前記複数のノードを走査するステップに戻り、そうでないとき、次のステップに進み、
負の左勾配値と負の右勾配値との比が所定の閾値未満であるとき、局所最大自己容量値を決定して、前記少なくとも１つのチャネルの前記複数のノードを走査するステップに戻り、そうでないとき、次のステップに進み、
別の自己値が存在するとき、前記左勾配値および右勾配値を決定するステップに戻る、請求項３に記載の方法。
【請求項５】
前記相互値のうちの少なくとも１つが相互タッチ閾値を上回るかどうかを決定するステップをさらに含み、
「はい」である場合、前記最も大きな自己値を有する前記少なくとも１つのチャネルの複数のノードを走査するステップに進み、
「いいえ」である場合、完了として、前記タッチ検出フレームを終了する、
請求項２に記載の方法。
【請求項６】
次の勾配値を決定するステップであって、前記次の勾配値は、現在の相互値から次のノードの次の相互値を引いた値に等しい、ステップと、
前の勾配値を決定するステップであって、前記前の勾配値は、前記現在の相互値から前のノードの前の相互値を引いた値に等しい、ステップと
をさらに含む、請求項５に記載の方法。
【請求項７】
前記次の勾配値がゼロ（０）未満であり、かつ前記前の勾配値がゼロ（０）を上回るかどうかを決定するステップであって、
「はい」である場合、前記ノードを検証するステップを開始し、
「いいえ」である場合、次のステップに進む、
ステップと、
前記次の勾配値がゼロ（０）を上回り、かつ前記前の勾配値のある割合未満であるかどうかを決定するステップであって、
「はい」である場合、前記ノードを検証するステップを開始し、
「いいえ」である場合、次のステップに進む、
ステップと、
前記次の勾配値がゼロ（０）未満であり、かつ前記前の勾配値を上回るかどうかを決定するステップであって、
「はい」である場合、前記ノードを検証するステップを開始し、
「いいえ」である場合、次のステップに進む、
ステップと、
別の相互値が存在するかどうかを決定するステップであって、
「はい」である場合、前記相互値のうちの少なくとも１つが前記相互タッチ閾値を上回るかどうかを決定するステップに戻り、
「いいえ」である場合、次のステップに進む、
ステップと、
別の自己値が存在するかどうかを決定するステップであって、
「はい」である場合、別の自己値を検討して、前記自己値のうちの少なくとも１つが自己タッチ閾値を上回るかどうかを決定するステップに戻り、
「いいえ」である場合、完了として、前記タッチ検出フレームを終了する、
ステップと
をさらに含む、請求項６に記載の方法。
【請求項８】
前記ノードは、Ｘ軸上を東から西に延び、Ｙ軸上を北から南に延びる行列に配列され、
前記ノードを検証するステップは、
局所最大相互値を有する前記ノードを現在のノードとして識別するステップと、
前記現在のノードの北に有効ノードが存在するかどうかを決定するステップであって、
「いいえ」である場合、前記現在のノードの南に有効ノードが存在するかどうかを決定するステップに進み、
「はい」である場合、前記北ノードに対して相互測定を行い、次のステップに進む、
ステップと、
前記北ノードが前記現在のノードを上回るかどうかを決定するステップであって、
「はい」である場合、前記北ノードを前記現在のノードにし、タッチ点がこのノードにすでに存在するかどうかを決定するステップに進み、
「いいえ」である場合、次のステップに進む、
ステップと、
前記現在のノードの南に有効ノードが存在するかどうかを決定するステップであって、
「いいえ」である場合、前記現在のノードの東に有効ノードが存在するかどうかを決定するステップに進み、
「はい」である場合、前記南ノードに対して相互測定を行い、次のステップに進む、
ステップと、
前記南ノードが前記現在のノードを上回るかどうかを決定するステップであって、
「はい」である場合、前記南ノードを前記現在のノードにし、タッチ点がこのノードにすでに存在するかどうかを決定するステップに進み、
「いいえ」である場合、次のステップに進む、
ステップと、
前記現在のノードの東に有効ノードが存在するかどうかを決定するステップであって、
「いいえ」である場合、前記現在のノードの西に有効ノードが存在するかどうかを決定するステップに進み、
「はい」である場合、前記東ノードに対して相互測定を行い、次のステップに進む、
ステップと、
前記東ノードが前記現在のノードを上回るかどうかを決定するステップであって、
「はい」である場合、前記東ノードを前記現在のノードにし、タッチ点がこのノードにすでに存在するかどうかを決定するステップに進み、
「いいえ」である場合、次のステップに進む、
ステップと、
前記現在のノードの西に有効ノードが存在するかどうかを決定するステップであって、
「いいえ」である場合、前記現在のノードの左に有効ノードが存在するかどうかを決定するステップに進み、
「はい」である場合、前記西ノードに対して相互測定を行い、次のステップに進む、
ステップと、
前記西ノードが前記現在のノードを上回るかどうかを決定するステップであって、
「はい」である場合、前記西ノードを前記現在のノードにし、タッチ点がこのノードにすでに存在するかどうかを決定するステップに進み、
「いいえ」である場合、次のステップに進む、
ステップと、
前記現在のノードの左に有効ノードが存在するかどうかを決定するステップであって、
「いいえ」である場合、中心相互値から右相互値を引いた値として左相互値を定義し、前記ノードに対する微細位置を決定するステップに進み、
「はい」である場合、前記左ノードに対して相互測定を行い、次のステップに進む、
ステップと、
前記現在のノードの右に有効ノードが存在するかどうかを決定するステップであって、
「いいえ」である場合、前記中心相互値から前記左相互値を引いた値として前記相互値を定義し、前記ノードに対する微細位置を決定するステップに進み、
「はい」である場合、前記右ノードに対して相互測定を行い、次のステップに進む、
ステップと、
前記左値を前記右値から減算し、この差異を前記中心値で除算し、その結果を６４で乗算することによって、前記ノードの微細位置を定義し、次のステップに進むステップと、
補間が各軸に対して行われたかどうかを決定するステップであって、
「はい」である場合、別のタッチ点を全検出されたタッチ点のリストに追加し、追加の相互値が存在するかどうかを決定するステップに戻り、
「いいえ」である場合、前記現在のノードの左に有効ノードが存在するかどうかを決定するステップを再び開始するために、他の軸の左ノードおよび右ノードを使用することによって、前記他の軸を補間する、
ステップと
を含む、請求項７に記載の方法。
【請求項９】
ジェスチャ運動および前記ジェスチャ運動の力を決定するためのシステムであって、前記システムは、
視覚的ディスプレイを有するタッチ感知表面であって、前記タッチ感知表面は、前記可撓性電気伝導性カバーと前記第１の複数の電極との間に配列された前記複数の変形可能スペーサを備え、前記複数の変形可能スペーサは、前記可撓性電気伝導性カバーと前記第１の複数の電極との間の距離を維持し、前記第１の複数の電極は、第１の軸を有し、平行配向に配列され、前記第１の複数の電極の各々は、前記チャネルのうちの１つを形成する、タッチ感知表面と、
前記第１の軸に実質的に垂直な第２の軸を有し、平行配向に配列されている第２の複数の電極であって、前記第１の複数の電極は、前記第２の複数の電極の上に位置し、前記第１の複数の電極と第２の複数の電極との重複交差点を備えている複数のノードを形成し、前記複数のノードの各々は、相互容量を備えている、第２の複数の電極と、
前記第１の複数の電極を覆う可撓性電気伝導性カバーであって、前記可撓性電気伝導性カバーの面は、前記タッチ感知表面を形成する、可撓性電気伝導性カバーと、
デジタルプロセッサおよびメモリであって、前記デジタルプロセッサのデジタル出力は、前記第１および第２の複数の電極に結合されている、デジタルプロセッサおよびメモリと、
前記第１および第２の複数の電極に結合されているアナログフロントエンドと、
前記デジタルプロセッサに結合されている少なくとも１つのデジタル出力を有するアナログ／デジタルコンバータ（ＡＤＣ）と
を備え、
前記デジタルプロセッサは、請求項１〜９のいずれか一項に記載の方法に従ったステップを行うように構成されている、システム。
【請求項１０】
前記デジタルプロセッサ、メモリ、アナログフロントエンド、およびＡＤＣは、デジタルデバイスによって提供される、請求項９に記載のシステム。
【請求項１１】
前記デジタルデバイスは、マイクロコントローラを備えている、請求項１０に記載のシステム。
【請求項１２】
前記可撓性電気伝導性カバーは、可撓性金属基板を備えている、請求項９に記載のシステム。
【請求項１３】
前記可撓性電気伝導性カバーは、可撓性非金属基板およびその表面上の電気伝導性コーティングを備えている、請求項９に記載のシステム。
【請求項１４】
前記可撓性電気伝導性カバーは、実質的に光透過性の可撓性基板および前記可撓性基板の表面上のインジウムスズ酸化物（ＩＴＯ）のコーティングを備えている、請求項９に記載のシステム。
【請求項１５】
前記可撓性電気伝導性カバーは、実質的に光透過性の可撓性基板および前記可撓性基板の表面上のアンチモンスズ酸化物（ＡＴＯ）のコーティングを備えている、請求項９に記載のシステム。
【手続補正２】
【補正対象書類名】明細書
【補正対象項目名】００２２
【補正方法】変更
【補正の内容】
【００２２】
さらなる実施形態によると、ジェスチャ運動およびそれに関連付けられた少なくとも１つの力を決定する方法は、視覚的ディスプレイに示されている英数文字の値を、ある力で英数文字の上側部分をタッチすることによって、インクリメントさせるステップと、英数文字の値を、力で英数文字の下側部分をタッチすることによって、デクリメントさせるステップとを含み得る。本方法のさらなる実施形態によると、英数文字の値は、タッチが、英数文字から離れ、タッチ感知表面と平行に移動され得るとき、ロックされ得る。本方法のさらなる実施形態によると、英数文字の値をインクリメントまたはデクリメントさせる速度は、それぞれ、英数文字の上側部分または下側部分に加えられる力の大きさに比例し得る。本方法のさらなる実施形態によると、英数文字は、数字であり得る。本方法のさらなる実施形態によると、英数文字は、アルファベットの文字であり得る。
本発明は、例えば、以下を提供する。
（項目１）
タッチ感知表面上の複数のタッチおよび前記複数のタッチの力を解読する方法であって、前記方法は、
軸上に整列させられた複数のチャネルを走査し、前記複数のチャネルの各々の自己容量値を決定するステップと、
前記自己容量値を比較し、前記チャネルのうちのどれが局所最大自己容量値を有するかを決定するステップと、
前記局所最大自己容量値を有する少なくとも１つのチャネルの複数のノードを走査し、前記ノードの相互値を決定するステップと、
前記相互値を比較し、前記ノードのうちのどれが最も大きな相互容量値を有するかを決定するステップであって、前記局所最大自己容量値チャネル上の最も大きな相互容量値を有するノードは、潜在的タッチ場所である、ステップと、
前記潜在的タッチ場所への無タッチ中およびタッチ中の前記潜在的タッチ場所におけるノードの相互容量値の変化から、前記潜在的タッチ場所における力を決定するステップと
を含む、方法。
（項目２）
前記自己値のうちの少なくとも１つが自己タッチ閾値を上回るかどうかを決定するステップをさらに含み、
「はい」である場合、前記最も大きな自己値を有する前記少なくとも１つのチャネルの複数のノードを走査するステップに進み、
「いいえ」である場合、完了として、タッチ検出フレームを終了する、
項目１に記載の方法。
（項目３）
前記少なくとも１つの自己値に対する左および右勾配値を決定するステップをさらに含み、
前記左勾配値は、前記少なくとも１つの自己値から前記少なくとも１つのチャネルの左のチャネルの自己値を引いた値に等しく、
前記右勾配値は、前記少なくとも１つの自己値から前記少なくとも１つのチャネルの右のチャネルの自己値を引いた値に等しい、
項目１に記載の方法。
（項目４）
前記左勾配値がゼロ（０）を上回り、かつ前記右勾配値がゼロ（０）未満であるかどうかを決定するステップであって、
「はい」である場合、前記少なくとも１つのチャネルの複数のノードを走査するステップに戻り、
「いいえ」である場合、次のステップに進む、
ステップと、
前記左勾配値がゼロ（０）を上回り、かつ前記右勾配値を上回るかどうかを決定するステップであって、
「はい」である場合、前記少なくとも１つのチャネルの複数のノードを走査するステップに戻り、
「いいえ」である場合、次のステップに進む、
ステップと、
前記左勾配値がゼロ（０）未満であり、かつ前記右勾配値のある割合を上回るかどうかを決定するステップであって、
「はい」である場合、前記少なくとも１つのチャネルの複数のノードを走査するステップに戻り、
「いいえ」である場合、次のステップに進む、
ステップと、
別の自己値が存在するかどうかを決定するステップであって、
「はい」である場合、前記別の自己値を使用して、前記自己値のうちの少なくとも１つが、前記自己タッチ閾値を上回るかどうかを決定するステップに戻り、
「いいえ」である場合、完了として、タッチ検出フレームを終了する、
ステップと
をさらに含む、項目３に記載の方法。
（項目５）
前記相互値のうちの少なくとも１つが相互タッチ閾値を上回るかどうかを決定するステップをさらに含み、
「はい」である場合、前記最も大きな自己値を有する前記少なくとも１つのチャネルの複数のノードを走査するステップに進み、
「いいえ」である場合、完了として、前記タッチ検出フレームを終了する、
項目２に記載の方法。
（項目６）
次の勾配値を決定するステップであって、前記次の勾配値は、現在の相互値から次のノードの次の相互値を引いた値に等しい、ステップと、
前の勾配値を決定するステップであって、前記前の勾配値は、前記現在の相互値から前のノードの前の相互値を引いた値に等しい、ステップと
をさらに含む、項目５に記載の方法。
（項目７）
前記次の勾配値がゼロ（０）未満であり、かつ前記前の勾配値がゼロ（０）を上回るかどうかを決定するステップであって、
「はい」である場合、前記ノードを検証するステップを開始し、
「いいえ」である場合、次のステップに進む、
ステップと、
前記次の勾配値がゼロ（０）を上回り、かつ前記前の勾配値のある割合未満であるかどうかを決定するステップであって、
「はい」である場合、前記ノードを検証するステップを開始し、
「いいえ」である場合、次のステップに進む、
ステップと、
前記次の勾配値がゼロ（０）未満であり、かつ前記前の勾配値を上回るかどうかを決定するステップであって、
「はい」である場合、前記ノードを検証するステップを開始し、
「いいえ」である場合、次のステップに進む、
ステップと、
別の相互値が存在するかどうかを決定するステップであって、
「はい」である場合、前記相互値のうちの少なくとも１つが前記相互タッチ閾値を上回るかどうかを決定するステップに戻り、
「いいえ」である場合、次のステップに進む、
ステップと、
別の自己値が存在するかどうかを決定するステップであって、
「はい」である場合、別の自己値を検討し、および前記自己値のうちの少なくとも１つが自己タッチ閾値を上回るかどうかを決定するステップに戻り、
「いいえ」である場合、完了として、前記タッチ検出フレームを終了する、
ステップと
をさらに含む、項目６に記載の方法。
（項目８）
前記ノードを検証するステップは、
局所最大相互値を有するノードを現在のノードとして識別するステップと、
前記現在のノードの北に有効ノードが存在するかどうかを決定するステップであって、
「いいえ」である場合、前記現在のノードの南に有効ノードが存在するかどうかを決定するステップに進み、
「はい」である場合、前記北ノードに対して相互測定を行い、次のステップに進む、
ステップと、
前記北ノードが前記現在のノードを上回るかどうかを決定するステップであって、
「はい」である場合、前記北ノードを前記現在のノードにし、タッチ点がこのノードにすでに存在するかどうかを決定するステップに進み、
「いいえ」である場合、次のステップに進む、
ステップと、
前記現在のノードの南に有効ノードが存在するかどうかを決定するステップであって、
「いいえ」である場合、前記現在のノードの東に有効ノードが存在するかどうかを決定するステップに進み、
「はい」である場合、前記南ノードに対して相互測定を行い、次のステップに進む、
ステップと、
前記南ノードが前記現在のノードを上回るかどうかを決定するステップであって、
「はい」である場合、前記南ノードを前記現在のノードにし、タッチ点がこのノードにすでに存在するかどうかを決定するステップに進み、
「いいえ」である場合、次のステップに進む、
ステップと、
前記現在のノードの東に有効ノードが存在するかどうかを決定するステップであって、
「いいえ」である場合、前記現在のノードの西に有効ノードが存在するかどうかを決定するステップに進み、
「はい」である場合、前記東ノードに対して相互測定を行い、次のステップに進む、
ステップと、
前記東ノードが前記現在のノードを上回るかどうかを決定するステップであって、
「はい」である場合、前記東ノードを前記現在のノードにし、タッチ点がこのノードにすでに存在するかどうかを決定するステップに進み、
「いいえ」である場合、次のステップに進む、
ステップと、
前記現在のノードの西に有効ノードが存在するかどうかを決定するステップであって、
「いいえ」である場合、前記現在のノードの左に有効ノードが存在するかどうかを決定するステップに進み、
「はい」である場合、前記西ノードに対して相互測定を行い、次のステップに進む、
ステップと、
前記西ノードが前記現在のノードを上回るかどうかを決定するステップであって、
「はい」である場合、前記西ノードを前記現在のノードにし、タッチ点がこのノードにすでに存在するかどうかを決定するステップに進み、
「いいえ」である場合、次のステップに進む、
ステップと、
前記現在のノードの左に有効ノードが存在するかどうかを決定するステップであって、
「いいえ」である場合、中心相互値から右相互値を引いた値として左相互値を定義し、前記ノードに対する微細位置を決定するステップに進み、
「はい」である場合、前記左ノードに対して相互測定を行い、次のステップに進む、
ステップと、
前記現在のノードの右に有効ノードが存在するかどうかを決定するステップであって、
「いいえ」である場合、前記中心相互値から前記左相互値を引いた値として前記相互値を定義し、前記ノードに対する微細位置を決定するステップに進み、
「はい」である場合、前記右ノードに対して相互測定を行い、次のステップに進む、
ステップと、
前記左値を前記右値から減算し、この差異を前記中心値で除算し、その結果を６４で乗算することによって、前記ノードの微細位置を決定し、次のステップに進むステップと、
補間が各軸に対して行われたかどうかを決定するステップであって、
「はい」である場合、別のタッチ点を全検出されたタッチ点のリストに追加し、追加の相互値が存在するかどうかを決定するステップに戻り、
「いいえ」である場合、前記現在のノードの左に有効ノードが存在するかどうかを決定するステップを再び開始するために、他の軸の左および右ノードを使用することによって、前記他の軸を補間する、
ステップと
を含む、項目７に記載の方法。
（項目９）
視覚的ディスプレイを有するタッチ感知表面上のジェスチャ運動および前記ジェスチャ運動の力を決定するためのシステムであって、前記システムは、
第１の軸を有し、平行配向に配列されている第１の複数の電極であって、前記第１の複数の電極の各々は、自己容量を備えている、第１の複数の電極と、
前記第１の軸に実質的に垂直な第２の軸を有し、平行配向に配列されている第２の複数の電極であって、前記第１の複数の電極は、前記第２の複数の電極の上に位置し、前記第１の複数の電極と第２の複数の電極との重複交差点を備えている複数のノードを形成し、前記複数のノードの各々は、相互容量を備えている、第２の複数の電極と、
前記第１の複数の電極を覆う可撓性電気伝導性カバーであって、前記可撓性電気伝導性カバーの面は、前記タッチ感知表面を形成する、可撓性電気伝導性カバーと、
前記可撓性電気伝導性カバーと前記第１の複数の電極との間の複数の変形可能スペーサであって、前記複数の変形可能スペーサは、前記可撓性電気伝導性カバーと前記第１の複数の電極との間の距離を維持する、複数の変形可能スペーサと、
デジタルプロセッサおよびメモリであって、前記デジタルプロセッサのデジタル出力は、前記第１および第２の複数の電極に結合されているデジタルプロセッサおよびメモリと、
前記第１および第２の複数の電極に結合されているアナログフロントエンドと、
前記デジタルプロセッサに結合されている少なくとも１つのデジタル出力を有するアナログ／デジタルコンバータ（ＡＤＣ）と
を備え、
前記自己容量の値は、前記第１の複数の電極の各々に対して、前記アナログフロントエンドによって測定され、
前記測定された自己容量の値は、前記メモリ内に記憶され、
自己容量の最も大きな値のうちの少なくとも１つを有する、前記第１の電極のうちの少なくとも１つのノードの相互容量の値は、前記アナログフロントエンドによって測定され、
前記測定された相互容量の値は、前記メモリ内に記憶され、
前記デジタルプロセッサは、前記記憶された自己および相互容量値を使用し、ジェスチャ運動および前記タッチ感知表面に加えられる前記ジェスチャ運動に関連付けられた少なくとも１つの力を決定する、
システム。
（項目１０）
前記デジタルプロセッサ、メモリ、アナログフロントエンド、およびＡＤＣは、デジタルデバイスによって提供される、項目９に記載のシステム。
（項目１１）
前記デジタルデバイスは、マイクロコントローラを備えている、項目１０に記載のシステム。
（項目１２）
前記可撓性電気伝導性カバーは、可撓性金属基板を備えている、項目９に記載のシステム。
（項目１３）
前記可撓性電気伝導性カバーは、可撓性非金属基板およびその表面上の電気伝導性コーティングを備えている、項目９に記載のシステム。
（項目１４）
前記可撓性電気伝導性カバーは、実質的に光透過性の可撓性基板および前記可撓性基板の表面上のインジウムスズ酸化物（ＩＴＯ）のコーティングを備えている、項目９に記載のシステム。
（項目１５）
前記可撓性電気伝導性カバーは、実質的に光透過性の可撓性基板および前記可撓性基板の表面上のアンチモンスズ酸化物（ＡＴＯ）のコーティングを備えている、項目９に記載のシステム。
（項目１６）
前記ジェスチャ運動およびそれに関連付けられた少なくとも１つの力を決定するための項目９に記載の方法であって、前記方法は、
前記視覚的ディスプレイに示されているオブジェクトを、第１の力で前記オブジェクトをタッチすることによって選択するステップを含む、方法。
（項目１７）
第２の力で前記オブジェクトをタッチすることによって、前記オブジェクトを定位置にロックするステップをさらに含む、項目１６に記載の方法。
（項目１８）
第３の力で前記オブジェクトをタッチし、前記タッチを前記タッチ感知表面を横断する方向に移動させることによって、前記オブジェクトに対するロックを解除するステップをさらに含む、項目１７に記載の方法。
（項目１９）
前記オブジェクトに対する第１の力におけるタッチを除去し、次いで、再び、第２の力で前記オブジェクトをタッチすることによって、前記オブジェクトに対するロックを解除するステップをさらに含む、項目１７に記載の方法。
（項目２０）
前記第２の力は、前記第１の力を上回る、項目１９に記載の方法。
（項目２１）
前記ジェスチャ運動およびそれに関連付けられた少なくとも１つの力を決定するための項目９に記載の方法であって、前記方法は、
第１の力で前記視覚的ディスプレイに示されているオブジェクトの右部分をタッチするステップと、
第２の力で前記オブジェクトの左部分をタッチするステップと
を含み、
前記第１の力が前記第２の力を上回るとき、前記オブジェクトは、第１の方向に回転し、前記第２の力が前記第１の力を上回るとき、前記オブジェクトは、第２の方向に回転する、方法。
（項目２２）
前記第１の方向は、時計回りであり、前記第２の方向は、反時計回りである、項目２１に記載の方法。
（項目２３）
前記オブジェクトの左部分におけるタッチが、前記オブジェクトの右部分に向かって移動するとき、前記オブジェクトは、第３の方向に回転し、前記オブジェクトの右部分におけるタッチが、前記オブジェクトの左部分に向かって移動するとき、前記オブジェクトは、第４の方向に回転する、項目２１に記載の方法。
（項目２４）
前記第１および第２の方向は、前記第３および第４の方向に略垂直である、項目２３に記載の方法。
（項目２５）
前記ジェスチャ運動およびそれに関連付けられた少なくとも１つの力を決定するための項目９に記載の方法であって、前記方法は、
ある力で前記オブジェクトの一部をタッチすることによって、前記視覚的ディスプレイに示されているオブジェクトのサイズを変化させるステップであって、前記力が大きくなるほど、前記オブジェクトのサイズも大きくなる、ステップを含む、方法。
（項目２６）
前記オブジェクトのサイズは、前記タッチおよび前記力が前記オブジェクトから離れると、固定される、項目２５に記載の方法。
（項目２７）
前記オブジェクトのサイズは、前記オブジェクトに加えられる力の量に比例して変動する、項目２５に記載の方法。
（項目２８）
前記ジェスチャ運動およびそれに関連付けられた少なくとも１つの力を決定するための項目９に記載の方法であって、前記方法は、
ページをめくるために十分な力でドキュメントの一部をタッチすることによって、前記視覚的ディスプレイに示されている前記ドキュメントの前記ページを取り扱うステップを含む、方法。
（項目２９）
現在見えているページにおけるタッチを前記タッチ感知表面と平行な第１の方向に移動させることによって、前記現在見えているページを除去するステップをさらに含む、項目２８に記載の方法。
（項目３０）
新しいドキュメント近傍において力を加えて前記除去されるページをタッチすることによって、前記除去されるページを前記新しいドキュメントの中に挿入するステップをさらに含む、項目２９に記載の方法。
（項目３１）
前記ジェスチャ運動およびそれに関連付けられた少なくとも１つの力を決定するための項目９に記載の方法であって、前記方法は、
異なる力で英数文字をタッチすることによって、前記視覚的ディスプレイに示されている前記英数文字の値を変化させるステップを含み、
第１の力は、前記英数文字をインクリメントさせ、第２の力は、前記英数文字をデクリメントさせるであろう、方法。
（項目３２）
前記英数文字の値は、前記タッチが前記英数文字から離れるように、かつ前記タッチ感知表面と平行に移動されると、ロックされる、項目３１に記載の方法。
（項目３３）
前記ジェスチャ運動およびそれに関連付けられた少なくとも１つの力を決定するための項目９に記載の方法であって、前記方法は、
ある力で英数文字の上側部分をタッチすることによって、前記視覚的ディスプレイに示されている前記英数文字の値をインクリメントさせるステップと、
前記力で前記英数文字の下側部分をタッチすることによって、前記英数文字の値をデクリメントさせるステップと
を含む、方法。
（項目３４）
前記英数文字の値は、前記タッチが前記英数文字から離れるように、かつ前記タッチ感知表面と平行に移動されると、ロックされる、項目３３に記載の方法。
（項目３５）
前記英数文字の値をインクリメントまたはデクリメントさせる速度は、それぞれ、前記英数文字の上側部分または下側部分に加えられる力の大きさに比例する、項目３３に記載の方法。
（項目３６）
前記英数文字は、数字である、項目３１に記載の方法。
（項目３７）
前記英数文字は、アルファベットの文字である、項目３１に記載の方法。